(57)【要約】一例では、無人の電力状態にある自動車内で動作する本発明の車載電子デバイスに、遠隔セキュアネットワークリソースと通信するための無線インタフェースと、この遠隔セキュアネットワークリソースに無人の電力状態にある自動車を結合するための所定のトリガ事象を特定する１つ以上の値を記憶するメモリと、プロセッサとを設け、このプロセッサは、１つ以上の値に対してリソースを監視するのに応答して得られた第１のデータを検査することにより所定のトリガ事象の発生を認識し、この所定のトリガ事象の発生の認識に応答して、車載電子デバイスを遠隔セキュアネットワークリソースに結合するのに適した第２のデータを識別し、第２のデータを用いて無線インタフェースを介する遠隔セキュアネットワークリソースへの通信チャネル及び第３のデータを送信するための第２の通信チャネルを確立する。
2019525567.tif 000002
【特許請求の範囲】
【請求項１】
無人の電力状態にある自動車内で動作する車載電子デバイスであって、この車載電子デバイスが、
遠隔セキュアネットワークリソースと通信するための無線インタフェースと、
この遠隔セキュアネットワークリソースに無人の電力状態にある自動車を結合するための所定のトリガ事象を特定する１つ以上の値を記憶するメモリと、
プロセッサと
を具えており、前記プロセッサは、
監視すべきリソースを識別し、
この識別したリソースを前記１つ以上の値に対して監視するのに応答して得られた第１のデータを検査することにより所定のトリガ事象の発生を認識し、
この所定のトリガ事象の発生の認識に応答して、前記車載電子デバイスを前記遠隔セキュアネットワークリソースに結合するのに適した第２のデータを識別し、
この第２のデータを用いて前記無線インタフェースを介する前記遠隔セキュアネットワークリソースへの通信チャネルを確立し、
この通信チャネルを介して前記無人の電力状態にある自動車に第３のデータをダウンロードするか、又はこの通信チャネルを介して前記無人の電力状態にある自動車からこの第３のデータをアップロードするように構成されている
車載電子デバイス。
【請求項２】
請求項１に記載の車載電子デバイスにおいて、前記第１のデータが前記遠隔セキュアネットワークリソースとは独立して確立された通信チャネルを介して受信された信号の内容を有する車載電子デバイス。
【請求項３】
請求項２に記載の車載電子デバイスにおいて、前記無線インタフェースの第１の受信機又はこの第１の受信機に対応する送信機を用いて前記通信チャネルの１つが確立され、前記第１の受信機とは異なる前記無線インタフェースの第２の受信機を用いて前記通信チャネルの他の通信チャネルが確立される車載電子デバイス。
【請求項４】
請求項３に記載の車載電子デバイスにおいて、前記第１の受信機がWi‐Fiトランシーバの受信機を有し、前記第２の受信機がセルラートランシーバ及び短距離無線トランシーバのうちの少なくとも一方の受信機を有する車載電子デバイス。
【請求項５】
請求項３に記載の車載電子デバイスにおいて、前記第１のデータは、前記通信チャネルが延在する接続を確立するための接続情報を有している車載電子デバイス。
【請求項６】
請求項４に記載の車載電子デバイスにおいて、前記接続情報がサービスセット識別子（ＳＳＩＤ）及びセキュリティタイプ値を有する車載電子デバイス。
【請求項７】
請求項４に記載の車載電子デバイスにおいて、前記接続情報がパスワードを有する車載電子デバイス。
【請求項８】
請求項１に記載の車載電子デバイスにおいて、前記自動車が基準の所定の近傍内に移動したことを表す情報を前記第１のデータが有する車載電子デバイス。
【請求項９】
請求項３に記載の車載電子デバイスにおいて、前記基準がジオフェンスを有している車載電子デバイス。
【請求項１０】
請求項１に記載の車載電子デバイスにおいて、前記所定のトリガ事象が予定時刻を有する車載電子デバイス。
【請求項１１】
請求項１に記載の車載電子デバイスにおいて、前記第２のデータが前記所定のトリガ事象の発生前に前記自動車の電子メモリ内に存在する接続データを有する車載電子デバイス。
【請求項１２】
請求項１に記載の車載電子デバイスにおいて、前記第３のデータが前記自動車にダウンロードすべき更新情報を有する車載電子デバイス。
【請求項１３】
請求項１に記載の車載電子デバイスにおいて、前記遠隔セキュアネットワークリソースがセキュアWi‐Fiアクセスポイントを有する車載電子デバイス。
【請求項１４】
請求項１に記載の車載電子デバイスにおいて、前記識別されたリソースが車載リソースを有する車載電子デバイス。
【請求項１５】
請求項１に記載の車載電子デバイスにおいて、前記識別されたリソースがジオフェンスに対応するデバイス又は前記自動車から分離された他の遠隔デバイスのリソースである車載電子デバイス。
【請求項１６】
無人の電力状態にある自動車との第１の通信チャネルを確立するステップと、
前記自動車とこの自動車から離間した無線アクセスポイントとを結合する第２の通信チャネルであって、前記第１の通信チャネルとは異なるこの第２の通信チャネルを確立するのに適した認証値を表すデータを前記第１の通信チャネルを介して送信するステップと、
前記無線アクセスポイントを用いて前記第１の通信チャネルを介する前記送信に応答して電子デバイスに対する前記第２の通信チャネルを確立するステップと、
前記第２の通信チャネルを介してペイロードを送信又は受信するステップと
を具える方法。
【請求項１７】
請求項１６に記載の方法において、前記第２の通信チャネルが前記第１の通信チャネル内に存在しないセキュリティの層を有している方法。
【請求項１８】
請求項１６に記載の方法において、前記認証値を表す前記データが暗号化されたデータを有している方法。
【請求項１９】
請求項１６に記載の方法において、前記無線アクセスポイントが前記データにより表された情報により識別された隠れたアクセスポイントを有し、且つ前記第２の通信チャネルの確立が、少なくとも１回のスキャン試行の失敗に応答して前記隠れたアクセスポイントへの接続を有する方法。
【請求項２０】
請求項１６に記載の方法において、前記無線アクセスポイントがセキュリティ機能に基づいて動作する第１のセキュアアクセスポイントを有し、且つ前記セキュリティ機能に基づいて動作しない第２の異なるセキュアアクセスポイントを用いて前記第１の通信チャネルが確立される方法。
【発明の詳細な説明】
【優先権】
【０００１】
本出願は、２０１６年７月８日に出願された米国仮特許出願第62/360,200号の優先権を主張するものであり、これを参照することにより、その全体がここに導入されるものである。
【技術分野】
【０００２】
本明細書に開示する実施例はセキュア（安全）通信に関するものであり、特に自動車に対する自動的なセキュアデータの転送と関連する方法及び装置に関するものである。
【背景技術】
【０００３】
ＯＥＭ（相手先商標製造会社）は工場で自動車にソフトウェアを組込むことができるが、自動車が工場から離れた後には安全上自動車のソフトウェアを更新させるスキームも存在する。１つの既知のスキームでは、販売店のような販売場所で自動車を更新するようにしうる。
【０００４】
代表的なシナリオでは、ＯＥＭにより販売場所の店員（personnel ）により操作する必要がある携帯電子デバイスを提供することができる。この電子デバイスは、（例えば、販売代理店のブロードバンドネットワークデバイスを介して）インターネット（登録商標）に結合させることができるとともに、このインターネットを介してこの電子デバイスとＯＥＭサーバとの間にセキュアトンネルネットワークを確立することができる。店員により自動車をサービスセンタまで短距離運転し、このサービスセンタで店員が携帯電子デバイスを各自動車内に差込むとともに、携帯電子デバイス及び自動車の双方又は何れか一方を動作させて自動車の更新を実行するようにすることができる（更新はＯＥＭサーバからセキュアトンネルネットワークを介して携帯電子デバイスにダウンロードし、その後自動車にダウンロードするようにしうる）。
【０００５】
ある場合には、種々の理由でフィールドにおける中間点のようなサプライチェーンに沿う他の個所で且つ販売個所に達する前に自動車におけるソフトウェアを安全に更新させるようにするのが望ましい場合がある。しかし、サプライチェーンに沿うある可能な時間及び個所の双方又は何れか一方で自動車がサービスセンタの付近に位置しない場合があるとともに、自動車がサービスセンタの付近に位置する場合（例えば、自動車が輸送装置に固定されていたり、互いに極めて接近されていたり、等の場合）でも自動車に容易にアクセスしえない場合がある。これらの時間及び個所の双方又は何れか一方で自動車におけるソフトウェアを安全に更新させる既知のスキームを実行することができない又は現実的でない或いはその双方である場合がある。
【発明の概要】
【０００６】
以下の記載は、本発明の幾つかの態様の基本的な理解を提供するための本発明の概要を開示するものである。この概要は、本発明の主要な／重要な構成要素を特定すること、又は本発明の範囲を開示することを意図するものではない。その唯一の目的は、本発明の幾つかの概念を、後に開示するより一層詳細な説明に対する前置きとして簡単な形態で提示することにある。
【０００７】
一例では、システムが無人の電力（パワー）状態にある自動車内で動作する車載電子デバイスを具えており、この車載電子デバイスが、遠隔セキュアネットワークリソースと通信するための無線インタフェースと、この遠隔セキュアネットワークリソースに無人の電力状態にある自動車を結合するための所定のトリガ事象を特定する１つ以上の値を記憶するメモリと、プロセッサとを具えており、このプロセッサは、監視すべきリソースを識別し、この識別したリソースを前記１つ以上の値に対して監視するのに応答して得られた第１のデータを検査することにより所定のトリガ事象の発生を認識し、この所定のトリガ事象の発生の認識に応答して、前記車載電子デバイスを前記遠隔セキュアネットワークリソースに結合するのに適した第２のデータを識別し、この第２のデータを用いて前記無線インタフェースを介する前記遠隔セキュアネットワークリソースへの通信チャネルを確立し、この通信チャネルを介して前記無人の電力状態にある自動車に第３のデータをダウンロードするか、又はこの通信チャネルを介して前記無人の電力状態にある自動車からこの第３のデータをアップロードするように構成されているようにした。無人の電力状態は“オフ”と称することができるが、実際にはあるシステムが電力を受けてこの無人の電力状態で動作し続けているものである。例えば、あるキーレスシステムは、運転手が自動車を“停止させ”且つ鎖錠状態にした後でも電力状態に持続させることができ、従ってこれらのキーレスシステムは運転手が自動車に戻った際に準備完了（レディ）状態にあるものである。
【０００８】
ある例では、第１のデータは、通信チャネルが延在する接続を確立するための接続情報、例えば、サービスセット識別子（ＳＳＩＤ）、セキュリティタイプ値及びパスワードを有するようにしうる。
【０００９】
第１のデータは、ローカルメモリをアクセスすることにより、又は遠隔セキュアネットワークリソースとは独立して確立された通信チャネルを介して受信された信号から第１のデータを識別することにより、或いはこれらの双方を達成することにより取得することができる。１つ以上の通信チャネルを有する実施例では、無線インタフェースの第１の受信機（又はこの第１の受信機に対応する送信機）を用いて１つの通信チャネルを確立でき、この無線インタフェースの第２の異なる受信機を用いて他の通信チャネルを確立できるようにする。一例では、第１の受信機がWi‐Fiトランシーバを有し、第２の受信機がセルラートランシーバ及び短距離無線トランシーバのうちの少なくとも一方の受信機を有するようにする。
【００１０】
本発明の追加の態様及び利点は、添付図面を参照して行う好適実施例の以下の詳細な説明から明らかとなるであろう。
【図面の簡単な説明】
【００１１】
【図１】図１は、ある実施例における、自動車に対する自動的なセキュアデータの転送システムを示すブロック線図である。
【図２】図２は、ある実施例における、図１の車載電子デバイスにより実行しうるある動作の簡略化したフローチャートを示すブロック線図である。
【図３】図３は、ある実施例における、図１を参照して説明した他のデバイスを実行しうるある動作の簡略化したフローチャートを示すブロック線図である。
【図４】図４は、複数の通信チャネルを用いる実施例で実行しうる動作の幾つかのメッセージシーケンスチャートを示す線図である。
【発明を実施するための形態】
【００１２】
本発明の背景としては、自動車は代表的に複数の電力モードを有する、例えば、計器パネル及びアクセサリ（これらのアクセサリにはエンターテインメント（娯楽）要素を含めることができるが、これらに限定されるものではない）の双方が電力を受ける第１の電力モードと、計器パネルは電力を受けないが、アクセサリが電力を受ける第２の電力モード（例えば、アクセサリ電力モード）と、アクセサリは電力を受けないが、他のシステムが電力を受けるとともに動作し続けうる１つ以上の第３の低電力モードとを有するものとする。
【００１３】
上述した１つ以上の第３の低電力モードのうちの少なくとも１つのモードは、自動車を無人の電力状態にすることができる。無人の電力状態は“オフ”状態と称することができるが、実際にはあるシステムは電力を受けて無人の電力状態で動作し続けるものである。例えば、ある種のキーレスシステムは、運転手（オペレータ）が自動車を“スイッチオフ”状態にするとともに鎖錠した後でも電力を受け続け、従って運転手が自動車に戻った際にこれらのキーレスシステムが準備状態にあるようにしうる。
【００１４】
又、本発明の背景としては、多くの最近の電子デバイスにより、クライアントとして外部サーバに接続するとともに、電子デバイスにおけるソフトウェアを更新するようなサーバにより特定される操作を実行する手段を提供するものとする。この処理でセキュリティを確保することは非制御環境では困難である。その理由は、利用可能な通信チャネルはしばしば、一般的な消費者又は商業用のインターネット接続として提供され、これらは何らかの点でセキュリティ侵害されるおそれがある為である。車載機器の場合には、セキュリティが侵害されることと関連する結果が重大となるおそれがある。
【００１５】
図１は、ある実施例における自動車に対する自動的なセキュアデータ伝送用のシステム１００を示す。このシステム１００は、ある例ではセキュアWi‐Fiアクセスポイントとしうる遠隔デバイス２５との通信チャネル１５を確立するための車載デバイス１（例えば、計算デバイス及び無線通信システムを有しうる１つ以上のビークル構成要素）を具えることができる。セキュアWi‐FiアクセスポイントはオープンWi‐Fiアクセスポイントと相違して、Wi‐Fiアクセスポイントを介するデバイスのアクセスを許可する前にパスワードのような認証値を提供することをデバイスに要求することができる（又、多くのWi‐Fiアクセスポイントは、セキュア又はオープンに拘らずアクセスが一旦許可されると暗号化を用いて通信するようにすることもできる）。
【００１６】
車載デバイス１には、人間の介在を必要とすることなく且つ自動車が無人の電力状態にある間に自動的なセキュアデータの転送を実行するために自動車内の所定の操作を実行するように構成したプロセッサ１２を設けることができる。通信チャネル１５は、遠隔デバイス２５から自動車へ如何なる種類のデータ（例えば、車載デバイス１又は他の車載デバイスに設置すべきソフトウェアのようなペイロード）をも安全にダウンロードするのに、又は自動車からペイロードを安全にアップロードするのに用いることができる。
【００１７】
例えば、ある自動車のサプライチェーンにおいては、自動車の在庫（インベントリ）を海上船舶からの荷下ろし中及び荷下ろし後の双方又は何れか一方のある時間の間港で提示することができる。このような在庫は、各自動車のプロセッサ１２が遠隔デバイス２５と通信することにより港で更新するようにしうる。又、幾つかの又は全てのプロセッサ１２がデータを遠隔デバイス２５にアップロードするようにすることもできる。アップロードされるデータは、センサデータ、診断コードのような如何なる種類のデータにもすることができる（自動車が輸送中に動作するセンサを有する場合には、これらのセンサにより発生されたログを読取って、例えば、海上輸送後の自動車の状態を判断するようにしうる）。
【００１８】
プロセッサ１２は、所定のトリガ事象に基づいて通信チャネル１５を確立する時間を識別することができる。メモリ１１はこのトリガ事象を規定するための１つ以上の値１４を記憶しうる。ある例では、これらの値１４を製造時にメモリ１１内に組込むことができる。プロセッサ１２は、１つ以上のリソース（図示せず）を検査することを含みうる所定のトリガ事象に基づいて監視を開始することができる。
【００１９】
１つ以上のリソースには、ローカルリソース、例えば、車載リソースとリモートリソースとの双方又は何れか一方を含めることができる。リモートリソースの一例はジオフェンスである。ある例では、ジオフェンスに対して予め決定した近傍を所定のトリガ事象に含めることができる。プロセッサ１２は、受信した信号に基づいてジオフェンスを表すデータを得ることができる。このプロセッサ１２はこのデータを値１４と比較して所定の事象の発生を認識するようにしうる（例えば、通信チャネル１５を確立するために自動車がジオフェンスから予め決定した近傍にあることを検出するようにしうる）。
【００２０】
ローカルリソース、例えば車載リソースの一例は自動車のクロック５である。ある例では、所定のトリガ事象に予め決定した時間を含めることができる。プロセッサ１２は、クロック５により発生されたデータを取得して、このデータを値１４と比較するようにしうる。このプロセッサ１２は所定の事象の発生を認識することができる（例えば、現在の時間が通信チャネル１５を確立するための予め決定した時間に等しいことを検出することができる）。
【００２１】
ある例でセキュアWi‐Fiを使用することに加えて、所定のトリガ事象を使用することにより安全性を得ることができる。例えば、フェンス及びガード（防護物）のような物理的な安全性を達成しうる港の物理的な個所に通信チャネル１５を確立することができる。又、通信チャネルを確立するために時間を予め決定することにより安全性を得ることができる。その理由は、この時間により自動車の物理的な位置を表すことができる（この時間によりサプライチェーンに沿う自動車の位置を表すことができる）ためである。
【００２２】
通信チャネル１５は無線インタフェース７のWi‐Fiトランシーバにおいて確立し、これにより中間者攻撃に対して保護する強力な暗号化を提供するようにしうる。他の例では、強力な暗号化のようなセキュリティ機能を含む無線インタフェース７の如何なる部分においても通信チャネル１５を確立するようにしうる。購入者が用いる受信機及び送信機の双方又は何れか一方とは異なる、自動的なセキュアデータの転送のための専用の受信機及び送信機の双方又は何れか一方を用いることができる。
【００２３】
ある例では、従前のように、遠隔デバイス２５はデータ転送の開始前にデバイスに対し認証を行うことをこれらのデバイスに要求するようにしうる。ある例では、遠隔デバイス２５はセキュアWi‐Fiアクセスポイントとしうる。
【００２４】
遠隔デバイス２５には、認証条件に加えて、（ある例では）自動車にダウンロードすべきデータ（例えば、自動車更新情報）を記憶するデータストア２１と、ビークル更新情報を各自動車に直接提供するために個別のサーバに直接接続するビルトイン（内蔵）サーバ又はインタフェースのようなデバイス２２とを設けることもできる。これらの例では、サービスセンタで動作させうる携帯電子デバイスとは相違して、遠隔デバイス２５には、インターネットを介して遠隔サーバにアクセスするブロードバンドインターネットアクセスを必要としないようにしうる。これらの例では、デバイス２２により通信チャネル１５を介して車載デバイス１に直接自動車更新情報をダウンロードすることができる。遠隔デバイス２５はインターネットに接続するための如何なる構成要素をも必要としないようにでき、実際にはこれらの構成要素はコスト削減とセキュリティ上の配慮との双方又は何れか一方のような種々の理由で遠隔デバイス２５から省略することができる。他の例では、遠隔デバイス２５にはデバイス２２及びデータストア２１の双方又は何れか一方を設けないようにすることができ、これらの例では、遠隔デバイス２５によりインターネットを介してＯＥＭサーバへのセキュアトンネルネットワークを（通信チャネル１５の確立前のような）如何なる時でも確立するようにしうる。
【００２５】
ある例では、遠隔デバイス２５を、例えば、携帯用だけでなく輸送中に動作させうるようにしたモバイルデバイスとすることができる。自動車の目録品は、例えば、港の荷下ろし領域又は船舶輸送装置内で互いに又は他の物体と極めて接近して配置される可能性がある。ある例では、特に無線インタフェース７の特定の送受信機／受信機／送信機の範囲に応じて、モバイル遠隔デバイス２５を無人の自動車の目録品の周囲を囲むように又はこれらの自動車間に、或いはこれらの双方に移送するようにするのが望ましい場合がある。又、ある例では、モバイル遠隔デバイス２５が人により運ばれるようにするか、又は（人により制御しうる又はより一層機械化された実施例では周囲又は他の経路に沿って自立的に移動しうる（例えば、駆動、飛行等を行ないうる））業務用ビークル上で運ばれるようにすることができる。
【００２６】
ある例では、追加の異なる通信チャネル（図示せず）を用いることができる。これらの例では、所定のトリガ事象を、通信チャネル１５に対して用いられるのと同じ受信機又は送信機とする必要がない無線インタフェース７の送信機又は受信機を介する異なる通信チャネルを介して通信する自動車と関連させることができる。ある例では、通信チャネルをトリガ事象の一部として使用することによりセキュリティを達成することができる（このようにすることは必ずしも必要ではない）。例えば、プロセッサ１２は通信チャネル１５を確立するのに必要なある情報を有さない場合がある。異なる通信チャネルの確立及び復号化の双方又は何れか一方が達成される（例えば、異なる通信チャネルから再生される情報のみを用いて遠隔デバイス２５を発見（discover）しうる）まで、プロセッサ１２は通信チャネル１５を確立するのに必要とするある情報を有さないようにしうる。この異なる通信チャネルを用いる実施例は後に図４につき詳細に説明する。他の例では、この情報は、異なる通信チャネルを確立することなしにプロセッサ１２により特定することができる（例えば、プロセッサ１２により自動車のメモリ内の記憶情報をアクセスするようにしうる）。
【００２７】
図２は、ある実施例において図１の車載デバイス１により実行しうる動作２００の幾つかを示す簡略化したフローチャートである。ブロック２０１では、車載デバイス１により第１のデータのソースを監視する、例えば、自動車発生情報と、自動車とは離れて発生された情報との双方又は何れか一方を監視することができる。ブロック２０２では、車載デバイス１により１つ以上の値に基づいて第１のデータを検査して、遠隔デバイスに結合するための所定のトリガ事象を特定するようにすることができる。この１つ以上の値の一部はビークルの製造時に組込むことができ、或いはこの１つ以上の値の一部は（この１つ以上の値の一部を得るために回復可能な暗号化情報を含む到来するセルラーコールのような）コールにより動的に得られるようにすることができる。ダイヤモンドブロック２０３では、所定のトリガ事象が生じたか否かを車載デバイス１により確認することができる。所定のトリガ事象が生じなかった場合には、例えば、ダイヤモンドブロック２０３を実行する（規則的な又はその他の）次のインターバルまでに処理がブロック２０１に戻るようにすることができる。
【００２８】
ブロック２０４では、車載デバイス１により遠隔デバイスと通信するのに適した第２のデータを識別することができる。この第２のデータは、トリガ事象が生じる前に車載デバイス１のメモリ内に又は車載デバイス１にアクセスしうるメモリ内に位置させることができる。他の例では、第２のデータをトリガされた事象の一部として受信しうるようにしうるか、又はトリガ事象の一部としてアクセス可能となるようにしうるか、或いはこれらの双方を達成しうるようにすることができる。この第２のデータには遠隔デバイス特性に関する情報、例えば、遠隔デバイスに対して車載デバイス１を認証するための情報、遠隔デバイスを発見するためのアドレス又は他の情報、等を含めることができる。
【００２９】
ブロック２０５では、車載デバイス１により第２の情報を用いて遠隔デバイスに対する通信チャネルを確立することができる。ブロック２０６では、車載デバイス１により通信チャネルを介する第３のデータのダウンロード及びアップロードの双方又は何れか一方を達成することができる。この第３のデータには、自動車の更新と、自動車からアップロードすべき情報との双方又は何れか一方を含めることができる。
【００３０】
図３は、ある実施例における、図１を参照して説明した他のデバイスを実行しうる動作３００の幾つか示す簡略化したフローチャートである。ブロック３０１では、遠隔デバイス２５により自動車内に設置された電子デバイスを所定のトリガ事象の発生に応答して認証するようにしうる。ブロック３０２では、遠隔デバイス２５により電子デバイスとの通信チャネルを前記トリガ事象の発生に応答して確立するようにしうる。ブロック３０３では、遠隔デバイス２５により通信チャネルを介するデータの送信及び受信の双方又は何れか一方を達成することができる。
【００３１】
図４は、複数の通信チャネルを用いる実施例で実行しうる動作の幾つかを示すメッセージシーケンスチャートである。車載デバイス４０２は車載デバイス１（図１）により実行される動作の何れかを実行することができ、遠隔デバイス４０４は遠隔デバイス２５（図１）により実行される動作の何れかを実行することができる。
【００３２】
第２の通信チャネル４０３は通信チャネル１５（図１）に類似させることができる。第１の通信チャネル４０１は、自動車の無線インタフェースの異なる部分（例えば、異なるトランシーバ、異なる受信機、異なる送信機、等）を用いてインターネットを介して確立することができる。第１の通信チャネル４０１を確立する受信機／トランシーバは、第２の通信チャネル４０３を確立する受信機／トランシーバと同じ帯域幅にしたり、又は同じセキュリティを有するようにしたり、或いはこれらの双方を達成したりする必要はない。一例では、第１の通信チャネル４０１を確立する受信機／トランシーバは、第２の通信チャネル４０３を確立する異なるトランシーバ／受信機／送信機よりも低い帯域幅としうるセルラートランシーバ（例えば、Wi‐Fiトランシーバ）であり、ある例では、自動車のトランスミッションコントロールユニット（ＴＣＵ）を用いてセルラー接続を介するとともにインターネットを介して接続を行うことができる。他の実施例では、第１の通信チャネル４０１をＮＦＣ（近距離無線通信）デバイス、ブルートゥース（Bluetooth;登録商標）トランシーバのような短距離無線トランシーバ、（例えば、セキュアWi‐Fiアクセスポイントとは異なるオープンWi‐Fiアクセスポイントのような）Wi‐Fiアクセスポイントとしうる。
【００３３】
（ＯＥＭサーバとしうる又は遠隔デバイス４０４に対応する何れかのサーバとは異なる他のサーバとしうる）サーバ（図示せず）により、車載デバイス４０２に対する第１の通信チャネル４０１を確立して、遠隔デバイス４０２に対する自動的なセキュアデータの転送をトリガするようにしうる。前述したように、第１のチャネル４０１には第２の通信チャネル４０３と同じセキュリティを含める必要はない（ある例では第１のチャネル４０１は安全でない可能性がある）。
【００３４】
サーバによれば代表的に第１の通信チャネル４０１を介して車載デバイス４０２にメッセージ４１１を送信することができる。このメッセージ４１１はＳＭＳ（ショートメッセージサービス）を介して、又はＳＳＬ（セキュアソケットレイヤ）のようなセキュアネットワークプロトコルを用いてインターネット接続を介して送信することができる。このメッセージ４１１はパブリック／プライベートアルゴリズムを用いて暗号化することができる（パブリックキーは自動車に存在させることができる）。
【００３５】
メッセージ４１１には、既知のセキュア通信チャネルのリストを含めることができる。又、このメッセージ４１１には、１つ以上のＳＳＩＤ（サービスセット識別子）、各ＳＳＩＤに対するパスワード、各ＳＳＩＤに対するセキュリティタイプ情報等或いは（リストされたセキュア通信チャネルの各々に対する）これらの組合せのような接続情報を含めることができる。又、このメッセージ４１１には、所定のトリガ事象を特定する１つ以上の値、例えば、選択した時間に関する情報、ジオフェンスのような遠隔リソース等を、又はこれらの組合せを含めることができる。
【００３６】
メッセージ４１１は送信者の低レベル通信ＡＰＩ（アプリケーションプログラミングインタフェース）を用いて簡単なバイトアレイとして送信することができる。このメッセージ４１１はオープンWi‐FiアクセスポイントのようなWi‐Fiアクセスポイントにより送信しうる。
【００３７】
動作４１２では、車載デバイス４０２により発見（例えば、リスト上のセキュア通信チャネルに対するスキャン）を行うことができ、これをリストに基づいて第２の通信チャネル４０３に接続するようにしうる。この動作４１２はメッセージ４１１の識別直後に実行することができ、又はトリガ事象情報により種々の時間と関連するトリガ状態を特定して発見を達成することができる。ある例では、車載デバイス４０２を、（例えば、スキャン処理に代わって又はスキャン処理が失敗した場合に）リスト内のＳＳＩＤを用いて隠れたWi‐Fiアクセスポイントに接続を試みるように構成しうる。動作４１３では、車載デバイス４０２が、接続されている第２の通信チャネル４０３を介して遠隔デバイス４０４への接続を達成しうる。車載デバイス４０２は、（第１の通信チャネル４０１から再生された認証値に基づかせることができる）認証要求４１４を遠隔デバイス４０４に送信することができる。遠隔デバイス４０４は、例えば車載デバイス４０２をこの遠隔デバイス４０４に対し認証させる認証応答４１５を遠隔デバイス４０４に返信することができる。この認証ハンドシェイクにより他のセキュリティの層を提供しうる。
【００３８】
車載デバイス４０２は、動作マニフェスト要求４１６を送信して如何なる動作を実行するか（例えば、更新を実行するか、構成を変更するか、等）を識別することができる。このことにより、動作用システムの更新、ユーザアプリケーションの更新、地図の更新、等、又はこれらの組合せの１つ以上を識別することができる。遠隔デバイス４０４（又はそのサーバ）は動作マニフェスト４１７を送信し、これにより車載デバイス４０２がマニフェスト４１７において識別された選択に基づいて動作４１８を実行するようにすることができる。車載デバイス４０２は動作結果を含むメッセージ４１９を送信することができ、遠隔デバイス４０４（例えば、そのサーバ）は確認応答４２０を送信することができる。車載デバイス４０２は確認応答４２０の受信とタイムアウトの到達との双方又は何れか一方に応答して切断（通信停止）４２１を実行しうる。
【００３９】
ある例では、自動車の所有者が自分の自動車を予定の保守のために特約店に持ち込む際に、上述した原理を適用しうるようにする。自動車の所有者は待合室で待つことができ、自動車は（駐車場では無人となっており）上述した動作の何れかを実行して、自動的なセキュアデータの転送を実行しうるようにする（ある例では、自動車は特約店で隠れたWi‐Fiアクセスポイントに接続しうるようにする）。自動車は必ずしも特約店に持ち込んだり駐車場に入れたりする必要はない。ある例では、終了時に、自動車及びＯＥＭサーバの双方又は何れか一方が、自動車の所有者の個人用携帯デバイス及び特約店の店員の計算デバイスの双方又は何れか一方にメッセージを送信するようにしうる。
【００４０】
ある例では、上述した原理を稼働中の自動車のフリート又は返却されたレンタルの自動車に適用しうる。フリートのドライバ又は顧客は自動車を駐車場に戻して次の就業日まで自動車をそのままにするか又はレンタルの返却を行うことができる。駐車場では、自動車が自動的なセキュアデータの転送を実行するために本明細書に記載した動作の何れかを実行して、自動車を更新するか又は自動車からデータ（例えば、その日に収集したセンサデータ）を引出すか、或いはこれらの双方を達成するようにしうる。
【００４１】
ある例では、病院又は養護施設を対象とした医療デバイスや、産業用デバイスや、インターネットオブシングス（ＩｏＴ）デバイスや、ホームセキュリティ及びホームオートメーションのような家庭用のＩｏＴ製品や、航空機及びこれに関連する航空施設や、遠隔監視デバイスや、その他や、或いはこれらの組合せを含む（これらに限定されない）セキュアアップデーティング（セキュア更新）を必要とする又は高プライバシー値のデータを記憶する任意の携帯デバイスに対する自動的なセキュアデータの転送に上述した原理を適用しうる。
［例］
【００４２】
例１は、無人の電力状態にある自動車内で動作する車載電子デバイスであって、この車載電子デバイスは、遠隔セキュアネットワークリソースと通信するための無線インタフェースと、この遠隔セキュアネットワークリソースに無人の電力状態にある自動車を結合するための所定のトリガ事象を特定する１つ以上の値を記憶するメモリと、プロセッサとを具えており、このプロセッサは、監視すべきリソースを識別し、この識別したリソースを前記１つ以上の値に対して監視するのに応答して得られた第１のデータを検査することにより所定のトリガ事象の発生を認識し、この所定のトリガ事象の発生の認識に応答して、前記車載電子デバイスを前記遠隔セキュアネットワークリソースに結合するのに適した第２のデータを識別し、この第２のデータを用いて前記無線インタフェースを介する前記遠隔セキュアネットワークリソースへの通信チャネルを確立し、この通信チャネルを介して前記無人の電力状態にある自動車に第３のデータをダウンロードするか又はこの通信チャネルを介して前記無人の電力状態にある自動車からこの第３のデータをアップロードするように構成したものである。
【００４３】
例２は、例１又は本明細書における他の何れかの例の主題を含み、第１のデータが遠隔セキュアネットワークリソースとは独立して確立された通信チャネルを介して受信された信号の内容を有するようにしたものである。
【００４４】
例３は、例１及び例２の何れかの例又は本明細書における他の何れかの例の主題を含み、前記無線インタフェースの第１の受信機又はこの第１の受信機に対応する送信機を用いて前記通信チャネルの１つが確立され、前記第１の受信機とは異なる前記無線インタフェースの第２の受信機を用いて前記通信チャネルの他の通信チャネルが確立されるようにしたものである。
【００４５】
例４は、例１〜３の何れかの例又は本明細書における他の何れかの例の主題を含み、前記第１の受信機がWi‐Fiトランシーバの受信機を有し、前記第２の受信機がセルラートランシーバ及び短距離無線トランシーバのうちの少なくとも一方の受信機を有するようにしたものである。
【００４６】
例５は、例１〜４の何れかの例又は本明細書における他の何れかの例の主題を含み、前記第１のデータは、前記通信チャネルが延在する接続を確立するための接続情報を有しているようにしたものである。
【００４７】
例６は、例１〜５の何れかの例又は本明細書における他の何れかの例の主題を含み、前記接続情報がサービスセット識別子（ＳＳＩＤ）及びセキュリティタイプ値を有するようにしたものである。
【００４８】
例７は、例１〜６の何れかの例又は本明細書における他の何れかの例の主題を含み、前記接続情報がパスワードを有するようにしたものである。
【００４９】
例８は、例１〜７の何れかの例又は本明細書における他の何れかの例の主題を含み、前記自動車が基準（reference ）の所定の近傍内に移動することを表す情報を前記第１のデータが有するようにしたものである。
【００５０】
例９は、例１〜８の何れかの例又は本明細書における他の何れかの例の主題を含み、前記基準がジオフェンスを有しているようにしたものである。
【００５１】
例１０は、例１〜９の何れかの例又は本明細書における他の何れかの例の主題を含み、前記所定のトリガ事象が予定時刻を有するようにしたものである。
【００５２】
例１１は、例１〜１０の何れかの例又は本明細書における他の何れかの例の主題を含み、前記第２のデータが所定の事象の発生前に前記自動車の電子メモリ内に存在する接続データを有するようにしたものである。
【００５３】
例１２は、例１〜１１の何れかの例又は本明細書における他の何れかの例の主題を含み、前記第３のデータが自動車にダウンロードすべき更新情報を有するようにしたものである。
【００５４】
例１３は、例１〜１２の何れかの例又は本明細書における他の何れかの例の主題を含み、前記遠隔セキュアネットワークリソースがセキュアWi‐Fiアクセスポイントを有するようにしたものである。
【００５５】
例１４は、例１〜１３の何れかの例又は本明細書における他の何れかの例の主題を含み、前記識別されたリソースが車載リソースを有するようにしたものである。
【００５６】
例１５は、例１〜１４の何れかの例又は本明細書における他の何れかの例の主題を含み、前記識別されたリソースがジオフェンスに対応するデバイス又は前記自動車から分離された他の遠隔デバイスのリソースであるようにしたものである。
【００５７】
例１６は、無人の電力状態にある自動車との第１の通信チャネルを確立するステップと、前記自動車とこの自動車から離間した無線アクセスポイントとを結合する第２の通信チャネルであって、前記第１の通信チャネルとは異なるこの第２の通信チャネルを確立するのに適した認証値を表すデータを前記第１の通信チャネルを介して送信するステップと、前記無線アクセスポイントを用いて前記第１の通信チャネルを介する送信に応答して電子デバイスに対する前記第２の通信チャネルを確立するステップと、前記第２の通信チャネルを介してペイロードを送信又は受信するステップとを具える方法である。
【００５８】
例１７は、例１６又は本明細書における他の何れかの例の主題を含み、前記第２の通信チャネルが前記第１の通信チャネル内に存在しないセキュリティの層を有しているようにするものである。
【００５９】
例１８は、例１６及び１７の何れかの例又は本明細書における他の何れかの例の主題を含み、前記認証値を表す前記データが暗号化されたデータを有しているようにするものである。
【００６０】
例１９は、例１６〜１８の何れかの例又は本明細書における他の何れかの例の主題を含み、前記無線アクセスポイントが前記データにより表された情報により識別された隠れたアクセスポイントを有し、且つ前記第２の通信チャネルの確立が、少なくとも１回のスキャン試行の失敗に応答して前記隠れたアクセスポイントへの接続を有するようにするものである。
【００６１】
例２０は、例１６〜１９の何れかの例又は本明細書における他の何れかの例の主題を含み、前記無線アクセスポイントがセキュリティ機能に基づいて動作する第１のセキュアアクセスポイントを有し、且つ前記セキュリティ機能に基づいて動作しない第２の異なるセキュアアクセスポイントを用いて前記第１の通信チャネルが確立されるようにするものである。
【００６２】
例２１は、第１の入力／出力インタフェースと、この第１の入力／出力インタフェースとは異なる第２の入力／出力インタフェースと、遠隔セキュアネットワークリソースに対応するセキュアチャネルを識別する回路とを具える電子デバイスであって、前記回路は、前記遠隔セキュアネットワークリソースに対しこの電子デバイスを認証するのに用いうる情報を取得するのに前記第１の入力／出力インタフェースを用いるかどうかを確認し、前記遠隔セキュアネットワークリソースに対しこの電子デバイスを認証するのに用いうる情報を取得するのに前記第１の入力／出力インタフェースを用いる確認に応答して、この第１の入力／出力インタフェースを介して第１の暗号化されたデータを取得するとともにこの第１の暗号化されたデータから前記情報を再生させ、この情報を用いて前記第２の入力／出力インタフェースを介する前記遠隔セキュアネットワークリソースへの接続を確立し、この接続を介して前記第１の暗号化されたデータとは異なる第２のデータをダウンロード又はアップロードするように構成されているようにした当該電子デバイスである。
【００６３】
例２２は、例２１又は本明細書における他の何れかの例の主題を含むことができ、前記第２のデータが、自動車のソフトウェアと、前記電子デバイスが設置された自動車により収集された診断情報と、前記自動車の運転手と関連するプライベートデータ（例えば、位置情報、ユーザの嗜好、等）との少なくとも１つを有するようにしたものである。
【００６４】
例２３は、例２１及び２２の何れかの例又は本明細書における他の何れかの例の主題を含むことができ、前記第２のデータが、前記第１の暗号化されたデータとは異なるように暗号化されているようにしたものである。
【００６５】
例２４は、例２１〜２３の何れかの例又は本明細書における他の何れかの例の主題を含むことができ、第１の暗号化されたデータを取得するのにパケットデータセルラー接続（例えば、局所的に開始されたパケットデータセルラー接続）を確立するとともにこのパケットデータセルラー接続を介して前記前記第１の暗号化されたデータをダウンロードすることを有しているようにしたものである。
【００６６】
例２５は、例２１〜２４の何れかの例又は本明細書における他の何れかの例の主題を含むことができ、前記遠隔セキュアネットワークリソースへの接続がWi‐Fi接続を用いて確立されるようにしたものである。
【００６７】
例２６は、例２１〜２５の何れかの例又は本明細書における他の何れかの例の主題を含むことができ、前記第１の暗号化されたデータがパブリックアクセス可能なネットワークデバイス（例えば、インターネットでアクセス可能なデバイス）から取得されるとともに、第２のデータが異なるプライベートなネットワークデバイス（例えば、インターネットでアクセスできないデバイス）から取得されるようにしたものである。
【００６８】
例２７は、例２１〜２６の何れかの例又は本明細書における他の何れかの例の主題を含むことができ、前記接続が、前記第１の暗号化されたデータを取得する接続よりも安全であるようにしたものである。
【００６９】
例２８は、例２１〜２７の何れかの例又は本明細書における他の何れかの例の主題を含むことができ、前記第２の入力／出力インタフェースが前記第１の入力／出力インタフェースよりも大きな帯域幅となっているようにしたものである。
【００７０】
例２９は、例２１〜２８の何れかの例又は本明細書における他の何れかの例の主題を含むことができ、パブリック／プライベートキーの対のうちの第１のパブリックキーであって、前記電子デバイスに記憶されたこの第１のパブリックキーを用いて、前記遠隔セキュアネットワークリソースに接続するために使用しうる第２の異なるキーを有する前記情報を再生させるように前記回路が構成されているようにしたものである。
【００７１】
例３０は、例２１〜２９の何れかの例又は本明細書における他の何れかの例の主題を含むことができ、前記情報がサービスセット識別子（ＳＳＩＤ）とＳＳＩＤアクセスポイント（例えば、隠れたＳＳＩＤアクセスポイント）に対するパスワードとを有するようにしたものである。
【００７２】
例３１は、例２１〜３０の何れかの例又は本明細書における他の何れかの例の主題を含むことができ、前記電子デバイスが前記情報の前記再生に応答してＳＳＩＤ及びパスワードの少なくとも一方を発見する（発見したＳＳＩＤ及びパスワードの少なくとも一方は、第１の暗号化されたデータの暗号解読時の前には前記電子デバイスにとって予め分かっていないものである）ようにしたものである。
【００７３】
例３２は、例２１〜３１の何れかの例又は本明細書における他の何れかの例の主題を含むことができ、前記電子デバイスが前記情報の前記再生に応答してこの情報の少なくとも一部を発見する（前記情報のこの発見した部分は、第１の暗号化されたデータの暗号解読時の前には前記電子デバイスにとって予め分かっていないものである）ようにしたものである。
【００７４】
例３３は、例２１〜３２の何れかの例又は本明細書における他の何れかの例の主題を含むことができ、前記回路が自動車の計算デバイスを有するようにしたものである。
【００７５】
例３４は、例２１〜３３の何れかの例又は本明細書における他の何れかの例の主題を含むことができ、前記回路は更に、自動車の外部の送信機及び自動車の外部のセンサの少なくとも一方に対応するとともに予め決定したデータ又は予め決定した事象に対応するデータを含む無線信号を監視するように構成されており、この無線信号の検出に応答して前述した確認を実行するようにしたものである。
【００７６】
例３５は、例２１〜３４の何れかの例又は本明細書における他の何れかの例の主題を含むことができ、前記電子デバイスが携帯機器（例えば、自動車）内に設置されており、前記無線信号は予め決定した地理的な位置の付近の前記携帯機器を検出するジオフェンス又はデバイスと関連するようにしたものである。
【００７７】
例３６は、例２１〜３５の何れかの例又は本明細書における他の何れかの例の主題を含むことができ、前記回路が更に、前記遠隔セキュアネットワークリソースに対し前記電子デバイスを認証するのに用いうる情報を取得するのに前記第１の入力／出力インタフェースを用いない確認に応答して、自動車のメモリデバイスからの前記情報を識別するように構成されているようにしたものである。
【００７８】
例３７は、例２１〜３６の何れかの例又は本明細書における他の何れかの例の主題を含むことができ、前記情報が既知のセキュア通信チャネルのリストを有するようにしたものである。
【００７９】
例３８は、例２１〜３７の何れかの例又は本明細書における他の何れかの例の主題を含むことができ、前記情報は保護されたメモリから識別されるようにしたものである。
【００８０】
例３９は、例２１〜３８の何れかの例又は本明細書における他の何れかの例の主題を含むことができ、前記回路は遠隔デバイスから予定（スケジュール）を取得する確認を行い、この確認はクロック及びカウンタの双方又は何れか一方が前記予定に対応する値に達するのに応答するようにしたものである。
【００８１】
例４０は、例２１〜３９の何れかの例又は本明細書における他の何れかの例の主題を含むことができ、前記無線信号は、前記電子デバイスの前記第１の入力／出力インタフェース、前記第２の入力／出力インタフェース及び第３の入力／出力インタフェースの少なくとも１つを介して受信するようにしたものである。
【００８２】
例４１は、例２１〜４０の何れかの例又は本明細書における他の何れかの例の主題を含むことができ、前記第１の暗号化されたデータはパブリックネットワークゲートウェイから取得され（例えば、パブリックネットワークゲートウェイにより転送され）、前記第２のデータは如何なるネットワークゲートウェイとも無関係に（例えば、パブリックネットワークゲートウェイとして動作しないアクセスポイントから直接）取得されるようにしたものである。
【００８３】
例４２は、例２１〜４１の何れかの例又は本明細書における他の何れかの例の主題を含むことができ、前記接続は携帯無線アクセスポイントに対し（例えば、直接）確立されるようにしたものである。
【００８４】
例４３は、例２１〜４２の何れかの例又は本明細書における他の何れかの例の主題を含むことができ、前記第１の入力／出力インタフェースがセルラートランシーバと、短距離無線トランシーバ（例えば、ブルートゥーストランシーバ）と、近距離無線通信（ＮＦＣ）トランシーバとのうちの少なくとも１種類を有するようにしたものである。
【００８５】
例４４は、例２１〜４３の何れかの例又は本明細書における他の何れかの例の主題を含むことができ、前記第１の入力／出力インタフェース及び前記第２の入力／出力インタフェースの各々が互いに異なる無線インタフェースを有するようにしたものである。
【００８６】
例４５は、例２１〜４４の何れかの例又は本明細書における他の何れかの例の主題を含むことができ、前記接続を確立するのに前記情報に基づいて前記セキュアネットワークリソースにトンネリングすることを含んでいるようにしたものである。
【００８７】
例４６は、例２１〜４５の何れかの例又は本明細書における他の何れかの例の主題を含むことができ、前記回路は無人のビークル内で動作するようにしたものである。
【００８８】
例４７は、例２１〜４６の何れかの例又は本明細書における他の何れかの例の主題を含むことができ、前記第２のデータが自動車のソフトウェア（例えば、自動車のソフトウェアの更新及び自動車のファームウェアの双方又は何れか一方）を有しているものである。
【００８９】
例４８は、第１のネットワークリソースに対応するセキュアチャネルを識別する回路を具える自動車であって、この回路は、前記第１のネットワークリソースとは異なる第２のネットワークリソースから、セキュアネットワークリソースに対する前記自動車の構成要素を認証するのに適した情報を取得するためにノンセキュアチャネルを介して通信するかどうかを確認し、このノンセキュアチャネルを介して通信する確認に応答して、前記第２のネットワークリソースから第１の暗号化されたデータを取得するとともに、この第１の暗号化されたデータから前記情報を再生させ、この情報を用いて前記セキュアチャネルを介する前記第１のネットワークリソースへの接続を確立し、この接続を介して前記第１の暗号化されたデータとは異なる第２のデータをダウンロード又はアップロードするように構成したものである。
【００９０】
例４９は例４８の主題を含むことができ、前記第２のネットワークリソースが遠隔サーバを有するようにしたものである。
【００９１】
例５０は、例４８及び４９の何れかの例又は本明細書における他の何れかの例の主題を含むことができ、前記回路は、前記確認を予定の時間で実行するか、又は自動車の外部の送信機と自動車の外部のセンサとの少なくとも一方に対応するとともに、予め決定したデータ又は予め決定した事象に対応するデータを含む無線信号を監視するように構成されており、前記確認は前記予定の時間又は前記無線信号の検出に応答して実行されるようにしたものである。
【００９２】
例５１は、例４８〜５０の何れかの例又は本明細書における他の何れかの例の主題を含むことができ、前記無線信号は、予め決定した地理的位置付近の自動車を検出するジオフェンス又はデバイスと関連するようにしたものである。
【００９３】
例５２は、例４８〜５１の何れかの例又は本明細書における他の何れかの例の主題を含むことができ、前記回路が更に、前記情報を取得するのに前記ノンセキュアチャネルを用いない確認に応答して、自動車に結合されたメモリデバイス又は自動車のメモリデバイスからの前記情報を識別するように構成されているものである。
【００９４】
例５３は、例４８〜５２の何れかの例又は本明細書における他の何れかの例の主題を含むことができ、前記情報が１つ以上のセキュア通信チャネルのリストを有するようにしたものである。
【００９５】
例５４は、例４８〜５３の何れかの例又は本明細書における他の何れかの例の主題を含むことができ、前記回路が、前記第１の暗号化されたデータの復号に応答して１つ以上のセキュア通信チャネルのリストを発見するように構成されているようにしたものである。
【００９６】
例５５には、第１のネットワークリソースに対応するセキュアチャネルを識別する方法であって、この第１のネットワークリソースとは異なる第２のネットワークリソースから、セキュアネットワークリソースに対する前記自動車の構成要素を認証するのに適した情報を取得するためにノンセキュアチャネルを介して通信するかどうかを確認するステップと、このノンセキュアチャネルを介して通信する確認に応答して、前記第２のネットワークリソースから第１の暗号化されたデータを取得するとともに、この第１の暗号化されたデータから前記情報を再生させるステップと、この情報を用いて前記セキュアチャネルを介する前記第１のネットワークリソースへの接続を確立するステップと、この接続を介して前記第１の暗号化されたデータとは異なる第２のデータをダウンロード又はアップロードするステップとを有する方法を含めることができる。
【００９７】
上述した殆どの機器はハードウェア及びこれに関連するソフトウェアを有する。例えば、代表的な車載デバイス及び遠隔デバイスの双方又は何れか一方は、１つ以上のプロセッサと、上述した動作を実行するのにこれらのプロセッサで実行しうるソフトウェアとを含む可能性がある。本明細書では、一般的に理解されている意味で、マシン又はプロセッサにより用いうる、プログラム又はルーチン（サブルーチン、オブジェクト、プラグイン、等）及びデータを参照するのに用語ソフトウェアを用いている。周知のように、コンピュータプログラムは一般に、マシン可読記憶媒体又はコンピュータ可読記憶媒体内に記憶された命令を有している。本発明のある実施例には、マシン可読記憶媒体又はコンピュータ可読記憶媒体、例えば、デジタルメモリ内に記憶された実行可能なプログラム又は命令を含めることができる。本明細書では、如何なる特定の実施例においても通常の意味での“コンピュータ”を必要としていることを意味しているものではない。例えば、内蔵された又はその他の種々のプロセッサを本明細書で記載した構成要素のような機器に用いることができる。
【００９８】
ソフトウェアを記憶するメモリも周知である。ある実施例では、所定のプロセッサと関連するメモリを、このプロセッサと同じ物理的デバイス（“オンボード”メモリ）、例えば集積回路のマイクロプロセッサ等内に配置されたＲＡＭ又はフラッシュ（ＦＬＡＳＨ）メモリ内に格納することができる。他の例では、メモリが外部ディスクドライブ、ストレージアレイ又は携帯フラッシュキーフォブのような独立デバイスを有するようにする。このような場合には、メモリとデジタルプロセッサとの２つが互いに動作的に結合されるか、又は例えばＩ／Ｏポート、ネットワーク接続等により互いに通信する際に、これらのメモリ及びデジタルプロセッサが互いに“関連付けられる”ようになり、プロセッサがメモリに記憶されたファイルを読取りうるようになる。関連付けられたメモリは設計（ＲＯＭ）により又は許可設定により “読取専用”とするか或いはこのようにしないようにすることができる。他の例にはＷＯＲＭ（追記型光ディスク）、ＥＰＲＯＭ（消去可能ＰＲＯＭ）、ＥＥＰＲＯＭ（電気的消去可能ＰＲＯＭ）、フラッシュメモリ、等を含めるが、これらに限定されるものではない。これらの技術はしばしばソリッドステートの半導体デバイスで実行されている。他のメモリは通常の回転ディスクドライブのような可動部分を具えることができる。このような全てのメモリは、“マシン可読”又は“コンピュータ可読”であり、本明細書に記載した機能を実施するための実行可能な命令を記憶するのに用いることができる。
【００９９】
“ソフトウェアプロダクト”は、一連の実行可能な命令がマシン可読形態で記憶され、適切なマシン又はプロセッサがソフトウェアプロダクトに適切にアクセスすることにより前記命令を実行してこれら命令により導入される処理を達成しうるようにするメモリデバイスを言及するものである。ソフトウェアプロダクトはしばしばソフトウェアを配布するのに用いられる。上述の要約したマシン可読メモリ（これらに限定されない）を含むが何れかの種類のマシン可読メモリを用いてソフトウェアプロダクトを形成しうる。とは言え、電送（“ダウンロード”）を介してソフトウェアを配布することも既知であり、この場合、一般的に送信側又は受信側、或いはこれらの双方に対応するソフトウェアプロダクトが存在するものである。
【０１００】
本発明の原理をその好適な実施例で説明し且つ図示したが、このような原理から逸脱することなく、本発明をその構成配置及び細部において変更しうること明らかである。本発明では、本発明の請求項の精神及び範囲内に入る全ての変形及び変更を要求するものである。
【図１】
2019525567.tif 000003
【図２】
2019525567.tif 000004
【図３】
2019525567.tif 000005
【図４】
2019525567.tif 000006
【国際調査報告】
2019525567.tif 000007
2019525567.tif 000008